(57)【要約】【課題】多気筒内燃機関でも実装上で無難に適用でき、重ね放電を有効に実行してバッテリに不具合を生じさせない点火制御が可能であり、故障発生時にも故障部位を適確に判断できる内燃機関用点火装置を提供する。【解決手段】この装置では、機関を制御するコントロールユニット１の点火制御装置１００が重ね放電の要求を行う制御部１１０を備え、別体の放電ユニット２が点火制御信号１０１ａ〜１０１ｄに応じて気筒を切換え、重ね要求に応じて重ね放電時間を制御して昇圧電圧２０３ａ〜２０３ｄをコイル３ａ〜３ｄに印加し、コイル３ａ〜３ｄが電圧印加された二次側より点火プラグ４ａ〜４ｄの対応間で重ね放電出力４０１ａ〜４０１ｄを誘起した際のイオン電流をコイル３ａ〜３ｄのイオン検出装置３２０ａ〜３２０ｄで検出し、ユニット１の重ね放電故障判定装置５００がイオン電流の立ち上がりタイミングを計測した結果に基づいて各部の故障を特定する。【選択図】図１
2015025403.tif 000002
【特許請求の範囲】
【請求項１】
複数気筒の内燃機関の当該複数気筒内にそれぞれ配設される複数の点火プラグと、前記複数の点火プラグとの間でそれぞれ火花放電を生じさせるための重ね放電出力を誘起する複数の点火コイルと、前記火花放電の時間を延長させるための重ね放電を行う重ね放電式の放電ユニットと、前記複数の点火コイルに対してそれぞれ前記複数気筒内での点火状態を制御するための点火制御信号を出力する点火制御装置と、を備えた内燃機関用点火装置であって、
前記点火制御装置は、前記複数の点火コイルに対してそれぞれ前記点火制御信号を生成して前記火花放電の点火時期を制御する複数の点火信号制御部と、前記放電ユニットに対して前記重ね放電の状態を制御するための重ね要求制御信号を一信号線で出力する重ね要求信号制御部と、を備え、
前記放電ユニットは、前記点火制御信号に応じて前記複数の点火コイルに対応する気筒を切換えると共に、前記重ね要求制御信号に応じて前記重ね放電の時間を制御した上で当該切換えられた気筒に対応する当該複数の点火コイルに対してそれぞれ重ね放電用の昇圧電圧を印加し、
前記複数の点火コイルは、前記点火制御信号に基づいて生成した一次電流及び所定の定電圧をそれぞれ一次側に入力して前記昇圧電圧が印加された二次側より前記複数の点火プラグの対応するものとの間で前記重ね放電出力を誘起すると共に、当該重ね放電出力時の該当する気筒内の燃焼に応じて発生するイオン電流を検出するイオン検出装置をそれぞれ備え、
前記イオン検出装置でそれぞれ検出された前記イオン電流の立ち上がりタイミングを計測した結果に基づいて前記重ね放電に伴う前記放電ユニット又は前記点火制御装置の故障を判定する重ね放電故障判定装置を備えたことを特徴とする内燃機関用点火装置。
【請求項２】
請求項１記載の内燃機関用点火装置において、前記重ね放電故障判定装置は、前記点火制御装置と共に前記内燃機関を制御するコントロールユニット内に搭載されたことを特徴とする内燃機関用点火装置。
【請求項３】
請求項１又は２記載の内燃機関用点火装置において、前記重ね放電故障判定装置は、前記点火信号制御部からの前記点火制御信号のタイミングに基づいて前記イオン電流の立ち上がり時間を計測する立ち上がり時間計測部と、前記立ち上がり時間計測部による前記立ち上がり時間と前記点火制御装置の前記重ね要求信号制御部からの前記重ね要求制御信号の要求内容に含まれる重ね要求時間とを予め設定される所定の期間中で比較した結果に基づいて、前記放電ユニット又は当該重ね要求制御信号の異常を判定する重ね放電異常判定部と、を備えたことを特徴とする内燃機関用点火装置。
【請求項４】
請求項３記載の内燃機関用点火装置において、前記重ね放電故障判定装置は、前記重ね放電異常判定部による前記放電ユニットの異常判定を受け、前記重ね放電の実行中に前記所定の期間中における前記立ち上がり時間の短い回数が第１の所定の割合を超過し、且つ第２の所定の割合未満である場合に当該放電ユニットの故障を確定する放電ユニット故障確定部を備えたことを特徴とする内燃機関用点火装置。
【請求項５】
請求項３記載の内燃機関用点火装置において、前記重ね放電故障判定装置は、前記重ね放電異常判定部による前記重ね要求制御信号の異常判定を受け、前記重ね放電の実行中に前記所定の期間中における前記立ち上がり時間の短い回数が第２の所定の割合を超過しているか、或いは所定時間連続している場合に当該重ね要求制御信号の故障を確定する重ね要求制御信号故障確定部を備えたことを特徴とする内燃機関用点火装置。
【請求項６】
複数気筒の内燃機関の当該複数気筒内にそれぞれ配設される複数の点火プラグとの間でそれぞれ火花放電を生じさせるための重ね放電出力を誘起すると共に、当該重ね放電出力時の該当する気筒内の燃焼に応じて発生するイオン電流を検出可能な複数の点火コイルにおける当該火花放電の時間を延長させるための重ね放電を行う重ね放電式の放電ユニット、並びに当該複数の点火コイルに対して、それぞれ当該複数気筒内での点火状態を制御するための点火制御信号を出力する点火制御装置であって、
前記複数の点火コイルに対してそれぞれ前記点火制御信号を生成して前記火花放電の点火時期を制御する複数の点火信号制御部と、前記放電ユニットに対して前記重ね放電の状態を制御するための重ね要求制御信号を一信号線で出力する重ね要求信号制御部と、を備えたことを特徴とする点火制御装置。
【請求項７】
複数気筒の内燃機関の当該複数気筒内での点火状態を制御するための点火制御装置から出力される点火制御信号に応じて、当該複数気筒内にそれぞれ配設される複数の点火プラグとの間でそれぞれ火花放電を生じさせるための重ね放電出力を誘起すると共に、当該重ね放電出力時の該当する気筒内の燃焼に応じて発生するイオン電流を検出可能な複数の点火コイルにおける当該火花放電の時間を延長させるための重ね放電を行う重ね放電式の放電ユニットであって、
前記点火制御信号に応じて前記複数の点火コイルに対応する気筒を切換えると共に、前記重ね要求制御信号に応じて前記重ね放電の時間を制御した上で当該切換えられた気筒に対応する当該複数の点火コイルに対してそれぞれ重ね放電用の昇圧電圧を印加することを特徴とする放電ユニット。
【発明の詳細な説明】
【技術分野】
【０００１】
本発明は、内燃機関の点火プラグからの火花放電時間を重ね放電により延長させる点火制御を行うときに各部の故障検出機能を持たせた内燃機関用点火装置、及びそれに用いられる点火制御装置、並びに放電ユニットに関する。
【背景技術】
【０００２】
近年、内燃機関の燃費を低減させることが重要な課題となっており、ＥＧＲ（Ｅｘｈａｕｓｔ  Ｇａｓ  Ｒｅｃｉｒｃｕｌａｔｉｏｎ）ガスの導入よってポンピングロスが低減されることを利用して、低燃費を目的として軽負荷の運転領域では大量のＥＧＲガスを導入して燃費を向上させる手法を採用する場合が増えている。ところが、こうした場合には、不活性ガスが増大して内燃機関の気筒（シリンダ）内に導入される新しい空気の割合が減少することに伴い、点火プラグ周りに適正な混合気が存在する割合が減ることになるため、単時間の放電では確実に着火させ、安定した燃焼を得られることが難しくなり、不正燃焼によって内燃機関が安定性を欠くことになってしまう。
【０００３】
そこで、内燃機関用点火装置において、点火プラグ近傍の混合気の状態にばらつきが存在することにより、希薄な空燃比となる状態や、ＥＧＲガス等の不活性ガスが混合されている状態において、単時間の放電では混合気の着火性が安定しない問題を改善し、着火性の向上と安定した燃焼とを行わせることで内燃機関の燃費を向上させるための技術が重要視されている。係る周知技術として、例えば「内燃機関用の重ね放電式点火装置」（特許文献１）が挙げられる。また、内燃機関のシリンダ内混合気の燃焼状態を検出する周知技術として、内燃機関の燃焼室内のイオン電流を検出することにより失火を検出する「内燃機関用失火検出回路」（特許文献２）が挙げられる。
【先行技術文献】
【特許文献】
【０００４】
【特許文献１】特開２０００−２４０５４２号公報
【特許文献２】特許第３１９２５４１号公報
【発明の概要】
【発明が解決しようとする課題】
【０００５】
上述した特許文献１に係る重ね放電式点火装置の点火制御によれば、点火プラグに長い時間に渡って大きな放電エネルギーを供給する必要があるため、別途に設けた昇圧回路から所定の電圧（例えば５００Ｖ）以上を点火コイルの放電電流に印加しなければならないことにより、多気筒の内燃機関では気筒数分を賄う昇圧回路の構成が大きくなってしまい、実装上の問題が生じて適用し難いという問題がある。
【０００６】
また、昇圧による発熱も発生するため、搭載上では冷却効果の高い場所に設置して放熱する手法が必要であり、多気筒の内燃機関では実装上で放電ユニットを別体として構成するのが望ましいが、放電ユニットを別体とする場合において、重ね放電時間の制御について全領域を重ね放電とすると、消費電流が過大となって車両等の搭載先のバッテリの劣化や上がり等の不具合を招く恐れがあるため、重ね放電の実行領域を限定して使用する目的で昇圧回路に対して制限する重ね要求信号の情報をコントロールユニット側から与える構成とするのが望ましい。
【０００７】
ところが、こうした構成の場合には引用文献２の技術を適用しても、何れかの部位が故障するとそれを個別に適確に判断する機能を持たないため、点火装置が故障と判断されたときには装置全体を交換する可能性が高くなり、可能な限り故障した部位を交換したいディーラーサービス上の要求に応えられないという難点がある。因みに、引用文献２の技術は、シリンダ内の火花放電時の電気エネルギーの一部を蓄え、その電気エネルギーを点火プラグの電極に印加したときのイオン電流値で燃焼状態（失火）を検出できるイオン電流検出回路であり、点火装置の故障として、点火コイルや点火プラグの不具合については適確に検出できるが、それ以外の他の部位（例えば点火コイルや点火プラグとは別体で構成された放電ユニットやコントロールユニット）の故障については適確に判断することができないという問題がある。
【０００８】
本発明は、このような問題点を解決すべくなされたもので、その技術的課題は、多気筒内燃機関でも実装上で無難に適用でき、重ね放電を有効に実行してバッテリに不具合を生じさせない点火制御が可能であると共に、故障発生時にも故障部位を適確に判断できる内燃機関用点火装置、及びそれに用いられる点火制御装置、並びに放電ユニットを提供することにある。
【課題を解決するための手段】
【０００９】
上記技術的課題を解決するため、本発明の内燃機関用点火装置は、複数気筒の内燃機関の当該複数気筒内にそれぞれ配設される複数の点火プラグと、複数の点火プラグとの間でそれぞれ火花放電を生じさせるための重ね放電出力を誘起する複数の点火コイルと、複数の点火コイルに対してそれぞれ複数気筒内での点火状態を制御するための点火制御信号を出力する点火制御装置と、火花放電の時間を延長させるための重ね放電を行う重ね放電式の放電ユニットと、を備えた内燃機関用点火装置であって、点火制御装置は、複数の点火コイルに対してそれぞれ点火制御信号を生成して火花放電の点火時期を制御する複数の点火信号制御部と、放電ユニットに対して重ね放電の状態を制御するための重ね要求制御信号を一信号線で出力する重ね要求信号制御部と、を備え、放電ユニットは、点火制御信号に応じて複数の点火コイルに対応する気筒を切換えると共に、重ね要求制御信号に応じて重ね放電の時間を制御した上で当該切換えられた気筒に対応する当該複数の点火コイルに対してそれぞれ重ね放電用の昇圧電圧を印加し、複数の点火コイルは、点火制御信号に基づいて生成した一次電流及び所定の定電圧をそれぞれ一次側に入力して昇圧電圧が印加された二次側より複数の点火プラグの対応するものとの間で重ね放電出力を誘起すると共に、当該重ね放電出力時の該当する気筒内の燃焼に応じて発生するイオン電流を検出するイオン検出装置をそれぞれ備え、イオン検出装置でそれぞれ検出されたイオン電流の立ち上がりタイミングを計測した結果に基づいて重ね放電に伴う放電ユニット又は点火制御装置の故障を判定する重ね放電故障判定装置を備えたことを特徴とする。
【００１０】
また、本願発明の点火制御装置は、複数気筒の内燃機関の当該複数気筒内にそれぞれ配設される複数の点火プラグとの間でそれぞれ火花放電を生じさせるための重ね放電出力を誘起すると共に、当該重ね放電出力時の該当する気筒内の燃焼に応じて発生するイオン電流を検出可能な複数の点火コイルにおける当該火花放電の時間を延長させるための重ね放電を行う重ね放電式の放電ユニット、並びに当該複数の点火コイルに対して、それぞれ当該複数気筒内での点火状態を制御するための点火制御信号を出力する点火制御装置であって、複数の点火コイルに対してそれぞれ点火制御信号を生成して火花放電の点火時期を制御する複数の点火信号制御部と、放電ユニットに対して重ね放電の状態を制御するための重ね要求制御信号を一信号線で出力する重ね要求信号制御部と、を備えたことを特徴とする。
【００１１】
更に、本願発明の放電ユニットは、複数気筒の内燃機関の当該複数気筒内での点火状態を制御するための点火制御装置から出力される点火制御信号に応じて、当該複数気筒内にそれぞれ配設される複数の点火プラグとの間でそれぞれ火花放電を生じさせるための重ね放電出力を誘起すると共に、当該重ね放電出力時の該当する気筒内の燃焼に応じて発生するイオン電流を検出可能な複数の点火コイルにおける当該火花放電の時間を延長させるための重ね放電を行う重ね放電式の放電ユニットであって、点火制御信号に応じて複数の点火コイルに対応する気筒を切換えると共に、重ね要求制御信号に応じて重ね放電の時間を制御した上で当該切換えられた気筒に対応する当該複数の点火コイルに対してそれぞれ重ね放電用の昇圧電圧を印加することを特徴とする。
【発明の効果】
【００１２】
本発明の内燃機関用点灯装置によれば、点火制御装置内に重ね放電の要求に係る重ね要求制御信号を一信号線で出力する重ね要求信号制御部を備えると共に、重ね放電式の放電ユニットを点火コイルや点火制御装置とは別体で内燃機関に設ける構成とし、点火制御装置における点火信号制御部からの点火制御信号に応じて放電ユニットにより点火コイルに対応する気筒を切換えると共に、重ね要求信号制御部からの重ね要求制御信号に応じて重ね放電の時間を制御した上で切換えられた気筒に対応する点火コイルに重ね放電用の昇圧電圧を印加し、点火コイルが点火制御信号に基づいて生成した一次電流及び所定の定電圧を一次側で入力して昇圧電圧が印加された二次側より点火プラグの対応するものとの間で重ね放電出力を誘起した際のイオン電流を点火コイルのイオン検出装置で検出し、重ね放電故障判定装置が検出されたイオン電流の立ち上がりタイミングを計測した結果に基づいて重ね放電に伴う放電ユニット又は点火制御装置の故障を判定するため、多気筒の内燃機関でも実装上で問題無く適用でき、重ね放電を有効に実行して点火制御することができるようになり、レイアウトの自由度が増し、バッテリの劣化や上がり等の不具合も生じなくなり、しかも故障発生時には故障部位を適確に判断できるようになる。
【図面の簡単な説明】
【００１３】
【図１】本発明の実施例１に係る内燃機関用点火装置の基本構成を示したブロック図である。
【図２】図１に示す内燃機関用点火装置のコントロールユニットに搭載された重ね放電故障判定装置の細部構成を示したブロック図である。
【図３】図１に示す内燃機関用点火装置に備えられる点火コイルの基本構成を放電ユニットとの対応を含めて示した図である。
【図４】図３に示した点火コイルの入出力に係る波形を示したタイミングチャートである。
【図５】図２に示した重ね放電故障判定装置における立上がり時間計測部によるイオン電流の立ち上がりタイミング計測についての動作処理を示したフローチャートである。
【図６】図２に示した重ね放電故障判定装置における重ね放電異常判定部と重ね要求制御信号故障確定部及び放電ユニット故障確定部とに係る重ね放電の異常判定から故障確定に至る動作処理を示したフローチャートである。
【発明を実施するための形態】
【００１４】
以下に、本発明の内燃機関用点火装置、及びそれに用いられる点火制御装置、並びに放電ユニットについて、実施例を挙げ、図面を参照して詳細に説明する。
【実施例１】
【００１５】
図１は、本発明の実施例１に係る内燃機関用点火装置の基本構成を示したブロック図である。この内燃機関用点火装置は、複数気筒として、４気筒の内燃機関（エンジン）の各気筒内にそれぞれ配設される４系統の点火プラグ４ａ〜４ｄと、各点火プラグ４ａ〜４ｄと間でそれぞれ火花放電を生じさせるための重ね放電出力４０１ａ〜４０１ｄを誘起すると共に、その時の該当する気筒内の燃焼に応じて発生するイオン電流を検出するイオン検出装置３２０ａ〜３２０ｄ（但し、３２０ｂ〜３２０ｄは図１中では図示されない）を備えた４系統の点火コイル３ａ〜３ｄと、火花放電の時間を延長させるための重ね放電を行う重ね放電式の放電ユニット２と、各点火コイル３ａ〜３ｄに対してそれぞれ４気筒内での点火状態を制御するための点火制御信号１０１ａ〜１０１ｄを出力する点火制御装置１００を搭載して４気筒内燃機関を制御すると共に、イオン検出装置３２０ａ〜３２０ｄでそれぞれ検出されたイオン電流の立ち上がりタイミングを計測した結果に基づいて重ね放電に伴う放電ユニット２又は点火制御装置１００の故障を判定する重ね放電故障判定装置５００を搭載したエンジンコントロールユニット１と、を備えて構成される。
【００１６】
このうち、点火制御装置１００は、４系統の点火コイル３ａ〜３ｄに対してそれぞれ点火制御信号１０１ａ〜１０１ｄを生成して気筒内での火花放電の点火時期を制御する４系統分の点火信号制御部１０１と、放電ユニット２に対して重ね放電の状態を制御するための重ね要求制御信号を一信号線で出力する重ね要求信号制御部１１０と、を備える他、重ね要求信号制御部１１０による重ね要求制御信号に係る重ね要求の内容について、予め設定された重ね放電での運転領域を判定する重ね運転領域判定部１１２と、重ね運転領域判定部１１２により判定される運転領域における予め設定された重ね放電の時間を判定する重ね時間判定部１１３と、運転領域における重ね放電での実行領域を判定して非実行領域から切換える重ね切換え判定部１１１と、を備えて構成される。
【００１７】
因みに、重ね要求信号制御部１１０は、重ね切換え判定部１１１で判定される重ね放電の実行又は停止と重ね時間判定部１１３で判定される重ね放電の時間とに従って重ね要求制御信号に係る重ね要求の内容を設定する。重ね要求の内容については、重ね放電の実行又は停止と重ね放電の時間とを変更可能であると共に、一つの信号情報で纏めて放電ユニット２への送信に供することが好ましい。また、重ね要求信号制御部１１０は、点火信号制御部１０１により各点火コイル３ａ〜３ｄに対して点火制御信号１０１ａ〜１０１ｄを出力開始するタイミングと同時か、それよりも前のタイミングで重ね放電の実行に係る重ね要求制御信号を出力することが好ましい。更に、重ね切換え判定部１１１は、重ね放電での非実行領域から実行領域への移行を判定すると、重ね要求制御信号に係る重ね要求の内容をＥＧＲガス量の制御量が増大するより先に重ね放電の実行に切換えることが好ましい。
【００１８】
放電ユニット２は、点火制御信号１０１ａ〜１０１ｄに応じて各点火コイル３ａ〜３ｄに対応する気筒を切換えると共に、重ね要求制御信号に応じて重ね放電の時間を制御した上で切換えられた気筒に対応する各点火コイル３ａ〜３ｄに対してそれぞれ重ね放電用の高電圧線を介して昇圧電圧２０３ａ〜２０３ｄを印加するもので、各点火コイル３ａ〜３ｄ及び各点火プラグ４ａ〜４ｄと点火制御装置１００とは独立して内燃機関に配設される。具体的に云えば、放電ユニット２は、各点火信号制御部１０１から入力した点火制御信号１０１ａ〜１０１ｄに応じて点火する気筒を切換える気筒切換え回路２０１と、重ね要求制御信号に係る重ね要求の内容に応じて重ね放電の時間を制御する重ね時間制御回路２０２と、重ね放電の時間の制御に従って切換えられた気筒に対応する各点火コイル３ａ〜３ｄに印加する重ね放電用の昇圧電圧２０３ａ〜２０３ｄを生成する昇圧回路２０３と、を備えて構成される。
【００１９】
各点火コイル３ａ〜３ｄは、点火制御信号１０１ａ〜１０１ｄに基づいてイグナイタ３０１ａ〜３０１ｄ（但し、３０１ｂ〜３０１ｄは図１中では図示されない）で生成した一次電流及び所定の定電圧（＋１２Ｖ）をそれぞれ一次側で入力して昇圧電圧２０３ａ〜２０３ｄが印加された二次側より各点火プラグ４ａ〜４ｄの対応するものとの間で重ね放電出力４０１ａ〜４０１ｄを誘起すると共に、その時の該当する気筒内の燃焼に応じて発生するイオン電流をイオン検出装置３２０ａ〜３２０ｄで検出してコントロールユニット１の重ね放電故障判定装置５００へ送出する。
【００２０】
図１に示す内燃機関用点火装置では、コントロールユニット１に搭載された点火制御装置１００において、点火信号制御部１０１からは４気筒分の４系統の点火制御信号１０１ａ〜１０１ｄが出力されると共に、重ね要求信号制御部１１０からは１系統の重ね要求制御信号が出力される。
【００２１】
放電ユニット２は、点火コイル３ａ〜３ｄ及び点火プラグ４ａ〜４ｄやコントロールユニット１とは別体で内燃機関に設けられており、昇圧回路２０３と４気筒分の４系統の点火コイル３ａ〜３ｄとが約５００Ｖの高電圧線で結線されている。各点火コイル３ａ〜３ｄに内蔵されているイグナイタ３０１ａ〜３０１ｄのスイッチングで点火制御信号１０１ａ〜１０１ｄに基づいて生成した一次電流に基づいて対象とする気筒に対して通常の点火タイミングで放電が開始されると、放電状態を維持するのに必要な昇圧電圧２０３ａ〜２０３ｄを高電圧線を介して点火コイル３ａ〜３ｄの二次側に印加する。エンジン気筒（シリンダ）内では、点火プラグ４ａ〜４ｄによって混合気に放電させて着火させると共に、通常放電に続いて所謂重ね放電が誘起されるように構成されている。また、各部はそれぞれワイヤハーネスによって結線される。
【００２２】
実施例１に係る内燃機関用点火装置では、構成上、放電ユニット２を点火制御装置１００が搭載されるコントロールユニット１とは別体として内燃機関に設置し、本来であれば放電ユニット２への４系統の点火制御信号１０１ａ〜１０１ｄと重ね放電に必要な高電圧線とが４気筒の数分必要であることにより、放電ユニット２に対して重ね放電の要求を行う信号線も同等な数が用意されるのに対し、ここでは点火制御装置１００の重ね要求信号制御部１１０が放電ユニット２に対して重ね要求制御信号により重ね放電の要求を行うために一本の信号線で放電ユニット２の重ね時間制御回路２０２に対して結線されている点が特徴となっている。このように、重ね要求信号制御部１１０を放電ユニット２に対して一つの信号系で纏めて結線して信号を制御すれば、ワイヤハーネスによる結線を最小限に留めることができ、更にはレイアウトによって各部位の設置間隔が長くなった場合でも、ワイヤハーネス結線のコスト増加を抑制することができる。
【００２３】
また、点火制御装置１００における重ね時間判定部１１３は、重ね放電を実行するのに必要な制御情報である重ね時間の判定を行い、重ね運転領域判定部１１２は重ね放電による運転領域を判定し、重ね切換え判定部１１１は重ね放電と通常放電との判定を行い、重ね放電の実行の成否を判定する。これらの各部は、それぞれ重ね放電を実行するのに必要な制御情報を演算するものであるが、最終的には重ね要求信号制御部１１０で出力信号の形態及びタイミングが演算される。
【００２４】
更に、放電ユニット２における気筒切換え回路２０１は点火制御信号１０１ａ〜１０１ｄに応じて各気筒の点火タイミングを判断し、重ね時間制御回路２０２は、重ね要求制御信号の情報（要求の内容）に応じて重ね時間を制御し、昇圧回路２０３は気筒毎の点火制御信号１０１ａ〜１０１ｄと重ね要求制御信号とを入力するタイミングに合わせて重ね放電に必要な昇圧電圧２０３ａ〜２０３ｄを高電圧線を介して気筒毎に対応する点火コイル３ａ〜３ｄの二次側に印加する。これにより、各気筒内の点火プラグ４ａ〜４ｄの対応するものとの間で重ね放電出力（二次電圧、二次電流）が誘起され、対象とする気筒内で重ね放電の発生による火花放電を継続的に生じさせることができ、しかも重ね放電の発生によるイオン電流を点火コイル３ａ〜３ｄのイオン検出装置３２０ａ〜３２０ｄが検出してコントロールユニット１の重ね放電故障判定装置５００へ送出するため、重ね放電故障判定装置５００によって検出されたイオン電流の立ち上がりタイミングを計測した結果に基づく重ね放電に伴う放電ユニット２又は点火制御装置１００（重ね要求信号制御部１１０からの重ね要求制御信号）の故障を判定することができる。
【００２５】
図２は、コントロールユニット１に搭載された重ね放電故障判定装置５００の細部構成を示したブロック図である。重ね放電故障判定装置５００は、点火コイル３ａ〜３ｄのイオン検出装置３２０ａ〜３２０ｄで検出されたイオン電流が取り込まれる入力処理部５０１と、点火信号制御部１０１からの点火制御信号１０１ａ〜１０１ｄのタイミングに基づいてイオン電流の立ち上がり時間を計測する立ち上がり時間計測部５０２と、立ち上がり時間計測部５０２による立ち上がり時間と点火制御装置１００の重ね要求信号制御部１１０からの重ね要求制御信号の要求内容に含まれる重ね要求時間とを予め設定される所定の期間中で比較した結果に基づいて、放電ユニット２又は重ね要求制御信号の異常を判定する重ね放電異常判定部５０３と、重ね放電異常判定部５０３による重ね要求制御信号の異常判定を受け、重ね放電の実行中に所定の期間中における立ち上がり時間の短い回数が第２の所定の割合を超過するか、或いは所定時間連続している場合に重ね要求制御信号の故障を確定する重ね要求制御信号故障確定部５０４と、重ね放電異常判定部５０３による放電ユニット２の異常判定を受け、重ね放電の実行中に所定の期間中における立ち上がり時間の短い回数が第１の所定の割合を超過し、且つ第２の所定の割合未満である場合に放電ユニット２の故障を確定する放電ユニット故障確定部５０５と、を備えている。ここでも、それぞれの部位はワイヤハーネスによって結線される。
【００２６】
この重ね放電故障判定装置５００では、各気筒の点火コイル３ａ〜３ｄに内蔵されているイオン検出装置３２０ａ〜３２０ｄからのイオン電流を示す信号が入力処理部５０１に入力されると、入力処理部５０１ではイオン電流に相当する電圧値に変換したデジタル信号を立上がり時間計測部５０２に送出し、立上がり時間計測部５０２にはその他に点火信号制御部１０１からの点火制御信号１０１ａ〜１０１ｄに示される点火時期に相当する点火タイミングの情報が入力される。そこで、立上がり時間計測部５０２では、点火タイミングからイオン電流の立ち上がりまでの時間（イオン電流の立ち上がりタイミング）を計測し、その計測結果を重ね放電異常判定部５０３へ送出する。
【００２７】
重ね放電異常判定部５０３では、立上がり時間計測部５０２で計測された立ち上がり時間と点火制御装置１００の重ね要求信号制御部１１０からの重ね要求制御信号の要求内容に含まれる重ね要求時間とを予め設定される所定の期間中で比較した結果に基づいて、放電ユニット２又は重ね要求制御信号の異常を判定する。更に、係る異常の判定結果に基づいて、所定の点火時期又は所定の期間における異常検出の割合によって、重ね要求信号故障確定部５０４が重ね要求制御信号の故障を確定し、放電ユニット故障確定部５０５が放電ユニット２の故障を確定する。
【００２８】
図３は、実施例１に係る内燃機関用点火装置に備えられる点火コイル３ａの基本構成を放電ユニット２との対応を含めて示した図である。ここでは、本願発明で適用する重ね放電の有る重ね放電出力を誘起する場合に火花放電する点火コイル３ａの構成を1つの気筒について示したものである。この点火コイル３ａでは、一次側でイグナイタ３０１ａを介在して点火制御信号１０１ａに基づいて生成した一次電流及び所定の定電圧（＋１２Ｖ）を入力し、重ね要求制御信号の重ね要求の内容に応じて重ね時間制御回路２０２で重ね時間が指示された昇圧回路２０３で生成されて制御回路３０２で重ね時間が制御される昇圧電圧が印加された二次側により点火プラグ４ａとの間で重ね放電出力４０１ａを誘起する。これにより、１つの気筒内で重ね放電の有る火花放電が行われる。このとき、イオン電流検出装置３２０ａでは、気筒内の燃焼に応じて発生するイオン電流を検出する。尚、イオン電流検出装置３２０ａは、ダイオード、抵抗、コンデンサを用いて増幅器に接続した回路構成のもので、例えば特許文献２に開示されているような周知技術を適用できるものである。
【００２９】
図４は、この点火コイル３ａの入出力に係る波形を示したタイミングチャートである。ここでは、内燃機関の１気筒（シリンダ）内で圧縮された混合気に着火する場合の点火コイル３ａにおける点火制御信号１０１ａ及び重ね要求制御信号に対する一次電流、放電出力（二次電圧、二次電流）４０１ａ、並びにイオン電流の関係を示している。
【００３０】
具体的に云えば、まず重ね放電の無い場合には昇圧回路２０３が動作しないように制御されるため、点火制御信号１０１ａの矩形波についての立ち上がりのＯＮするタイミングでイグナイタ３０１aにおけるトランジスタのスイッチング動作を行い、点火コイル３ａの一次側に５〜１０Ａの範囲の一次電流を流すことで点火コイル３ａに磁気エネルギーが蓄えられ、点火制御信号１０１ａの矩形波の立ち下がりのＯＦＦするタイミング（所謂点火時期）でイグナイタ３０１ａにおけるトランジスタのスイッチング動作を行い、一次電流を遮断すると点火コイル３ａの二次側に高電圧な二次電圧が発生することで、点火プラグ３ａでの放電が行われる。このときの放電電流（二次電流）の流れは、図３中に示す点線矢印で示す方向となる。
【００３１】
次に、重ね放電を実行する場合には点火制御信号制御１０１ａの矩形波についてのＯＮするタイミングで、イグナイタ３０１ａのトランジスタのスイッチング動作を行い、一次電流を遮断すると点火コイル３ａの二次側に高電圧な二次電圧が発生することで、点火プラグ３ａでの放電が開始される。ここでは放電ユニット２において、重ね要求制御信号の情報（重ね要求の内容）を受けて、重ね時間制御回路２０２が重ね放電を実行する時間を判断し、対象とする気筒の点火タイミングを判断する気筒切換え回路２０１が点火制御信号１０１ａによって昇圧回路２０３での重ね放電を実行する対象となる気筒を判断し、一次電流の遮断するタイミングに合わせて重ね放電に必要な昇圧電圧２０３ａを高電圧線を介して昇圧回路２０３が対象とする気筒に対応する点火コイル３ａの二次側に連通させることで印加する。このとき、点火コイル３ａでは制御回路３０２と連動して重ね時間が制御される昇圧回路２０３からの昇圧電圧２０３ａが印加された二次側により点火プラグ４ａとの間で重ね放電出力４０１ａを誘起することにより、１つの気筒内で重ね放電の有る火花放電が行われる。このときの放電電流（二次電流）の流れは、図３中に実線矢印で示す方向となる。重ね時間制御回路２０２が重ね放電を終了する時間のタイミングで昇圧回路２０３からの昇圧電圧を遮断すると、重ね放電が終了する。
【００３２】
上述した放電を実行している間、イオン検出装置３２０ａには電流を流すことができず、放電中にはイオン電流を検出することができない仕組みとなっており、放電中は燃焼時のイオン電流を検出するための起電力がチャージされる。放電が終了すると、燃焼状態によって発生しているイオン状態によりイオン電流が図３中の実線矢印で示す方向に流れることによって、イオン電流が検出されてそのイオン電流値がコントロールユニット１の重ね放電故障判定装置５００に送出される。
【００３３】
図４中で重ね要求制御信号による重ね要求がある場合には、点火制御信号１０１ａにおける点火タイミングのＡ点から重ね時間（ｔｗ）の間、放電が延長されることで、放電電圧がこの間印加され続けることになり、気筒（シリンダ）内の混合気への着火性能を向上することができる。放電中は燃焼が開始されていても、イオン電流は検出することができないため、放電を終了した後の点火のタイミングから期間ｄｔ1経過後にイオン電流が立ち上がり、燃焼状態に応じて検出されることになる。尚、重ね要求制御信号は、点火制御信号１０１ａに対して（ｔｄ）時間、早いタイミングでＯＮ信号を出力するように制御される。この制御は重ね要求制御信号の演算タイミングが必ずしも点火タイミングで演算されている訳でなく、例えば１０ｍｓ毎といった所定のマイコン演算タイミングで演算されるケースがあることを対策するためと、重ね時間制御回路２０２の判断タイミングにも依存するが、重ね要求有りの情報を判断したときに確実に最も早いタイミングで重ね時間制御回路２０２が重ね要求有りの情報と重ね時間の情報とを判断できるようにするためである。少なくとも、（ｔｄ）時間は、点火制御信号１０１ａがＯＮするタイミングと同時（ｔｄ＝０）か、或いはそれより前のタイミングであることが望ましい。
【００３４】
また、図４中のＢ点以降は、重ね要求があるにも拘らず、重ね要求制御信号の状態異常があったり、或いは放電ユニット２の状態異常により、重ね放電が実行されない場合の状態を示している。
【００３５】
重ね放電が実行されない場合は、放電時間（ｔｈ）のみで放電が終了するために燃焼が短くなり、イオン電流の立ち上がりは期間（ｄｔ０）で立ち上がり、検出できることになる。この状態は重ね放電を実行しない場合と等価である。本来、重ね要求信号制御部１１０では重ね時間（ｔｗ）を演算しているのにも拘らず、点火タイミングからイオン電流検出値の立ち上がるまでの時間は、これよりも短い期間（ｄｔ０）として検出される。従って、重ね放電故障判定装置５００では、重ね時間（ｔｗ）と期間（ｄｔ０）とを比較することによって、重ね時間（ｔｗ）が短い場合には重ね放電が実施されない異常状態であると判断することができる。
【００３６】
ここで、重ね放電の状態をイオン電流値の検出情報から判定するための前提として、まず重ね放電無しの状態でイオン電流が観察できている場合、点火プラグ４ａ及び点火コイル３ａ自体は故障していないと判断できるため、これを前提条件とした上で、重ね放電の実行中にイオン電流の立ち上がり時間が遅れている場合には、放電ユニット２又は重ね要求制御信号の信号ラインが故障していると判断することができる。
【００３７】
例えば重ね要求制御信号の信号ラインが断線していれば、重ね要求制御信号の信号ラインからの情報を放電ユニット２が判断できず、重ね放電無しとしか処理できないため、ほぼ１００パーセントの割合でイオン電流の立ち上がりの時間が短くなる。これに対し、例えば放電ユニット２の昇圧回路２０３が故障している場合にも、ほぼ１００パーセントの割合でイオン電流の立ち上がり時間が短くなる。ここでは、実際に重ね要求制御信号の故障か放電ユニット２の故障であるかを特定することは難しいため、重ね要求制御信号又は、放電ユニット２の故障と判定すれば、点火プラグ４ａや点火コイル３ａの故障とは分離して故障部位を特定できることになる。
【００３８】
また、サービス上の観点から重ね要求制御信号の故障であるか、放電ユニット２の故障であるかを判定する必要がある場合には、仮に１００％に近い異常を検出すれば重ね要求制御信号側の故障とすることにより、まずはサービス上のチェックフローで重ね要求制御信号側の断線又は結線の接触不良等の確認を指示するようにすれば良い。この結果、異常が無い状態にも拘らず、再度異常を判定するようであれば、次にサービスチェック上は放電ユニット２側の故障とすることにより、放電ユニット２側の確認を指示するようにすれば良い。これにより、１００％に近い異常についての故障部位を特定することが可能となり、点火装置全体を交換する等の手間を省くことができる。
【００３９】
更に、異常の割合が上述した１００％より低い例えば５０％程度の場合には、同様に、重ね要求制御信号の故障であるか、放電ユニット２の故障であるかを特定することが困難となるが、希少頻度の異常であることから、故障モードとしては重ね要求制御信号側の結線の接触不良、或いは放電ユニット２自体の機能故障が考えられる。故障の発生パターンとしては、重ね要求制御信号の接触不良は比較的容易に確認できるため、このような希少頻度の異常については、放電ユニット２側の異常と判定しておく方が望ましい。そこで、サービス上のチェックフローとしては、放電ユニット２側の交換に主眼を置き、交換後も異常が検出されるようであれば、交換時に放電ユニット２側との結線の接触不良も改善されている可能性もあるため、特にコントロールユニット１側との信号結線の接触不良の確認を指示するようにしておけば良い。因みに、全気筒を対象とした割合のみでなく、気筒毎に異常の割合を判定した結果、特定の気筒に偏って異常が発生する場合には、放電ユニット２側の異常である可能性が高いため、放電ユニット２側の異常と判定することもできる。
【００４０】
加えて、図示しないが、別の故障部位の判定方法としては、コントロールユニット１の点火制御装置１００から出力する重ね要求制御信号の出力線を断線時に５Ｖ出力させるような回路構成としておくと共に、放電ユニット２側の入力処理もこれに合わせて０Ｖで重ね要求を行わないように認識する回路構成としておけば良い。こうした構成によれば、重ね要求が無い場合に０Ｖを出力させ、これをモニタ回路としてコントロールユニット１内のマイコンのＡＤ変換器あるいはＨｉｇｈ／Ｌｏｗポート認識できる入力ポートへ入力しておけば、演算する重ね要求制御信号の状態とモニタ回路の入力状態とを比較することによって、イオン電流の立ち上がり時間が短くなる場合に、重ね要求制御信号の故障であることを特定することができる。
【００４１】
図５は、重ね放電故障判定装置５００における立上がり時間計測部５０２によるイオン電流の立ち上がりタイミング計測についての動作処理を示したフローチャートである。この動作処理は、例えばマイコン制御プログラムの割込み処理よって点火タイミング毎に実行されるもので、時間を計測するタイマとして、マイコンの発振クロックの分周器から必要な分解能（最小時間単位）を選択して割込み処理する間、自動で計測できる機能を利用する。
【００４２】
図５を参照すれば、最初に立上がり時間計測部５０２では、点火信号制御部１０１からの点火制御信号１０１ａに基づいて入力処理部５０１に入力された検出済みのイオン電流が点火タイミング（点火時期）であるか否かの判定（ステップＳ５０１）を行う。この判定の結果、点火タイミングであれば、タイマをクリアしてタイマ計測を停止する立上がり時間計測タイマクリア（ステップＳ５０２）の処理を行ってから動作処理を終了するが、点火タイミングでなければ、検出されたイオン電流値Ｖｉｏｎが所定の電流値Ｖｓｌを超えているかを判断することでイオン立上がりか否かの判定（ステップＳ５０３）を行う。この判定の結果、イオン立上がりであれば（Ｖｉｏｎ＞Ｖｓｌであれば）、そのときのタイマ値をイオン立上がり時間（ｄｔ）としてセット（ステップＳ５０４）して保存した後、タイマをカウントアップしてタイマ計測を継続する立上がり時間計測タイマカウントアップ（ステップＳ５０５）の処理を行ってから動作処理を終了するが、イオン立上がりでなければ（Ｖｉｏｎ≦Ｖｓｌであれば）、イオン立上がり時間（ｄｔ）セット（ステップＳ５０４）をジャンプしてタイマ計測を継続する立上がり時間計測タイマカウントアップ（ステップＳ５０５）の処理を行ってから動作処理を終了する。
【００４３】
図６は、重ね放電故障判定装置５００における重ね放電異常判定部５０３と重ね要求制御信号故障確定部５０４及び放電ユニット故障確定部５０５とに係る重ね放電の異常判定から故障確定に至る動作処理を示したフローチャートである。但し、ここでは故障確定に至る動作処理を１つの気筒（シリンダ）を対象にして行う場合を例示しており、例えば点火タイミングによる割込み処理として実行されるもので、具体的な点火コイル３ａにおける入出力信号のタイミングは図４に示したような形態で動作処理が実行される。
【００４４】
図６を参照すれば、最初に重ね放電異常判定部５０３では、重ね要求信号制御部１１０からの重ね要求制御信号の要求内容に基づいて重ね放電要求が実行されているか否かを重ね放電実行中であるか否かの判定（ステップＳ６０１）により行う。この判定の結果、重ね放電実行中でなければ（重ね放電要求が実行されていなければ）、動作処理を終了するが、重ね放電実行中であれば（重ね放電要求が実行されていれば）、同じ気筒についての点火回数カウント（ステップＳ６０２）の処理を行った後、重ね放電を実行すべき所定の点火回数（例えば１００点火）に到達したか否かを１００点火経過したか否かの判定（ステップＳ６０３）により行う。この判定の結果、１００点火経過していれば、一旦点火回数カウントリセット（ステップＳ６０４）の処理を行った後、重ね放電異常判定クリア（ステップＳ６０５）の処理、積算回数（ΣＣｎｔ）クリア（ステップＳ６０６）の処理をそれぞれ行ってから動作処理を終了するが、１００点火経過していなければ、その１００点火回数に達するまで図５で説明した検出済みの最新のイオン電流の立ち上がり時間（ｄｔ）をチェックし、立ち上がり時間（ｄｔ）が所定時間ｄｔｘ未満であるか（即ち、ｄｔ＜ｄｔｘであるか）否かの判定（ステップＳ６０７）により立ち上がり時間（ｄｔ）が正常状態であるか否かを判断する。
【００４５】
この判定の結果、立ち上がり時間（ｄｔ）が所定時間ｄｔｘ未満であれば（ｄｔ＜ｄｔｘであれば）、重ね放電異常判定クリア（ステップＳ６０８）の処理を行ってから動作処理を終了するが、立ち上がり時間（ｄｔ）が所定時間ｄｔｘ未満でなければ（ｄｔ≧ｄｔｘであれば）、重ね放電の異常と判断して重ね放電異常判定セット（ステップＳ６０９）の処理を行った後、異常判定回数を積算する積算回数（ΣＣｎｔ）カウントアップ（ステップＳ６１０）の処理を行う。
【００４６】
次に、積算回数（ΣＣｎｔ）について、第２の所定の割合ＳｃｎｔＨ（例えば９０回）を超過しているか否かを（ΣＣｎｔ）＞ＳｃｎｔＨ（９０）であるか否かの判定（ステップＳ６１１）により行う。この判定の結果、（ΣＣｎｔ）＞ＳｃｎｔＨ（９０）であれば（９０／１００超えの割合であれば）、重ね要求制御信号の異常と確定して重ね要求制御信号故障確定部５０４に対して重ね要求制御信号異常確定セット（ステップＳ６１７）の処理を行った後、重ね要求制御信号をフェーイルセーフとして停止設定する重ね要求制御信号停止処理セット（ステップＳ６１６）の処理を行ってから動作処理を終了する。これにより、重ね要求制御信号故障確定部５０４は、重ね放電異常判定部５０３による重ね要求制御信号の異常判定を受け、重ね放電の実行中に所定の期間中における立ち上がり時間の短い回数が第２の所定の割合を超過した場合に重ね要求制御信号の故障を確定する。
【００４７】
また、この判定の結果、（ΣＣｎｔ）＞ＳｃｎｔＨ（９０）でなければ｛９０／１００以下の割合の（ΣＣｎｔ）≦ＳｃｎｔＨ（９０）であれば｝、引き続いて第１の所定の割合ＳｃｎｔＬ（例えば２０〜３０回）を超過しているか否かを（ΣＣｎｔ）＞ＳｃｎｔＬ（２０〜３０）であるか否かの判定（ステップＳ６１２）により行う。この判定の結果、（ΣＣｎｔ）＞ＳｃｎｔＬ（２０〜３０）であれば（２０〜３０／１００超えの割合であれば）、放電ユニット２の異常と確定して放電ユニット故障確定部５０５に対して放電ユニット異常確定セット（ステップＳ６１５）の処理を行った後、重ね要求制御信号を停止設定する重ね要求制御信号停止処理セット（ステップＳ６１６）の処理を行ってから動作処理を終了する。これにより、放電ユニット故障確定部５０５は、重ね放電異常判定部５０３による放電ユニット２の異常判定を受け、重ね放電の実行中に所定の期間中における立ち上がり時間の短い回数が第１の所定の割合を超過し、且つ第２の所定の割合未満である場合に放電ユニット２の故障を確定する。
【００４８】
更に、（ΣＣｎｔ）＞ＳｃｎｔＬ（２０〜３０）でなければ（２０〜３０／１００以下の割合であれば）、何も異常がないと判断して放電ユニット故障確定部５０５に対する放電ユニット異常確定リセット（ステップＳ６１３）の処理、並びに重ね要求制御信号異常確定リセット（ステップＳ６１４）の処理を行ってから動作処理を終了する。
【００４９】
因みに、１つの気筒のみでなく、他の気筒を対象にして連続的に動作処理を行う場合には、先の（ΣＣｎｔ）＞ＳｃｎｔＨ（９０）であるか否かの判定（ステップＳ６１１）の結果、（ΣＣｎｔ）＞ＳｃｎｔＨ（９０）であるときに、引き続いて気筒数ｎ＝１〜４気筒共に（ΣＣｎｔ）＞ＳｃｎｔＨ（９０）であるか否かの判定を行わせ、その判定結果で全部が（ΣＣｎｔ）＞ＳｃｎｔＨ（９０）であれば重ね要求制御信号の異常と確定して重ね要求制御信号故障確定部５０４に対して重ね要求制御信号異常確定セット（ステップＳ６１７）の処理に移行するようにし、そうでなければ（ΣＣｎｔ）＞ＳｃｎｔＬ（２０〜３０）であるか否かの判定（ステップＳ６１２）に移行するようにすれば良い。
【００５０】
尚、図６では点火回数をカウントした結果に基づいて異常判定する場合を説明したが、これに代えて上述した立ち上がり時間（ｄｔ）が正常状態であるか否かを判断する立ち上がり時間（ｄｔ）が所定時間ｄｔｘ未満であるか否かの判定（ステップＳ６０７）の結果に基づいて、立ち上がり時間（ｄｔ）が短くなると判定される継続時間を計測して所定時間連続している場合に故障を確定するようにしても同様な機能が得られる。
【００５１】
何れにせよ、実施例１に係る内燃機関用点火装置によれば、点火制御装置１００内に重ね放電の要求に係る重ね要求制御信号を一信号線で出力する重ね要求信号制御部１１０を備えると共に、重ね放電式の放電ユニット２を点火コイル３ａ〜３ｄや点火制御装置１００とは別体で内燃機関に設ける構成とし、点火制御装置１００における点火信号制御部１０１からの点火制御信号１０１ａ〜１０１ｄに応じて放電ユニット２により点火コイル３ａ〜３ｄに対応する気筒を切換えると共に、重ね要求信号制御部１１０からの重ね要求制御信号に応じて重ね放電の時間を制御した上で切換えられた気筒に対応する点火コイル３ａ〜３ｄに重ね放電用の昇圧電圧を印加し、点火コイル３ａ〜３ｄが点火制御信号１０１ａ〜１０１ｄに基づいて生成した一次電流及び所定の定電圧（＋１２Ｖ）を一次側で入力して昇圧電圧２０３ａ〜２０３ｄが印加された二次側より点火プラグ４ａ〜４ｄの対応するものとの間で重ね放電出力４０１ａ〜４０１ｄを誘起した際のイオン電流を点火コイル３ａ〜３ｄのイオン検出装置３２０ａ〜３２０ｄで検出し、重ね放電故障判定装置５００が検出されたイオン電流の立ち上がりタイミングを計測した結果に基づいて重ね放電に伴う放電ユニット２又は点火制御装置１００（重ね要求制御部１１０の重ね要求制御信号）の故障を判定するため、多気筒の内燃機関でも実装上で問題無く適用でき、重ね放電を有効に実行して点火制御することができるようになり、レイアウトの自由度が増し、バッテリの劣化や上がり等の不具合も生じなくなり、しかも故障発生時には故障部位を適確に判断できるようになる。
【００５２】
特に放電ユニット２の異常は、重ね放電の実行中の所定の期間中におけるイオン電流の検出値の立ち上がり時間の短い回数が第１の所定の割合を超過し、且つ第２の所定割合未満である場合に放電ユニットの異常を判定した重ね放電異常判定部５０３により放電ユニット故障確定部５０５に対して放電ユニットの故障として確定されるため、優先的に市場におけるサービスチェックの指示と合わせて故障の部位を特定することができる。
【００５３】
また、点火制御装置１００における重ね要求信号制御部１１０からの重ね要求制御信号の異常は、重ね放電の実行中の所定期間中におけるイオン電流の検出値の立ち上がり時間の短い回数が第２の所定の割合を超過するか、或いは所定時間連続している場合に重ね要求制御信号の異常を判定した重ね放電異常判定部５０３により重ね要求制御信号故障確定部５０４に対して重ね要求制御信号の故障として確定されるため、同様に優先的に市場におけるサービスチェックの指示と合わせて故障の部位を特定することができる。
【００５４】
尚、実施例１に係る内燃機関用点火装置は、４気筒内燃機関へ適用する場合の構成を説明したが、４気筒以外の多気筒内燃機関についても同様に適用できるため、本発明の内燃機関用点火装置は、実施例１で開示したものに限定されない。
【符号の説明】
【００５５】
１  コントロールユニット
２  放電ユニット
３、３ａ〜３ｄ  点火コイル
４、４ａ〜４ｄ  点火プラグ
１００  点火制御装置
１０１、１０１ａ〜１０１ｄ  点火制御信号
２０１  気筒切換え回路
２０２  重ね時間制御回路
２０３  昇圧回路
２０３ａ〜２０３ｄ  昇圧電圧
３０１、３０１ａ〜３０１ｄ  イグナイタ
３０２  制御回路
３２０ａ〜３２０ｄ  イオン検出装置
４０１  放電出力
４０１ａ〜４０１ｄ  重ね放電出力
５００  重ね放電故障判定装置
５０１  入力処理部
５０２  立上がり時間計測部
５０３  重ね放電異常判定部
５０４  重ね要求制御信号故障確定部
５０５  放電ユニット故障確定部
【図１】
2015025403.tif 000003
【図２】
2015025403.tif 000004
【図３】
2015025403.tif 000005
【図４】
2015025403.tif 000006
【図５】
2015025403.tif 000007
【図６】
2015025403.tif 000008